(57)【要約】【課題】  スイッチング素子の数よりも少ないタイマをマイクロコンピュータに内蔵しても、タイムシェアリング方式に用いるスイッチング信号を生成すること。【解決手段】  マイコン２４に内蔵されたタイマ６４〜７２から相異なるタイミングで且つ互いに一定の間隔を保ったパルス信号を順番に出力し、各タイマ６４〜７２の出力によるスイッチング信号をＯＲ回路２６で順次選択して主スイッチＳＷ１をオンオフ動作させるとともに、各タイマ６４〜７２から出力されるパルス信号を、フリップフロップ３８〜４６でＯＲ回路２６の出力によるスイッチング信号の立ち上がりエッジに応答して主スイッチＳＷ１のオフ動作期間だけシフトさせ、フリップフロップ３８〜４６の出力によるスイッチング信号により、主スイッチＳＷ１のオフ動作時に補助スイッチＳＷ２１〜ＳＷ２５を順番にオン動作させる。【選択図】        図１
2006172803.tif 000002
【特許請求の範囲】
【請求項１】
入力電圧を主スイッチのオン動作時に電磁エネルギーとしてトランスに蓄積し、前記トランスに蓄積された電磁エネルギーを前記主スイッチのオフ動作時に前記トランスの二次側から放出するスイッチングレギュレータと、半導体光源で構成された複数の負荷と前記トランスの二次側との間に挿入された複数の補助スイッチのオン動作を条件に、前記トランスの二次側から放出される電磁エネルギーを発光エネルギーとして前記各負荷に伝播する複数のエネルギー伝播手段と、前記主スイッチと前記各補助スイッチをオンオフ動作させるためのスイッチング信号の生成に関する演算処理を実行し、前記演算処理の結果を基に前記主スイッチと前記各補助スイッチのオンオフ動作を制御するマイクロコンピュータと、前記マイクロコンピュータに内蔵されて、前記マイクロコンピュータの演算処理を基に前記主スイッチのオン動作を規定するパルス幅のスイッチング信号を互いに異なるタイミングで且つ互いに一定の間隔を保って順番に出力する複数のタイマと、前記各タイマの出力によるスイッチング信号を順次選択して前記主スイッチに出力する選択手段と、前記各タイマの出力によるスイッチング信号を、前記主スイッチのオフ動作時に前記各補助スイッチを順次オン動作させるスイッチング信号に変換して前記各補助スイッチに出力する複数のスイッチング信号変換手段とを備えてなる車両用灯具の点灯制御回路。
【請求項２】
請求項１に記載の車両用灯具の点灯制御回路において、前記選択手段は、前記各タイマの出力の論理和によるスイッチング信号を前記主スイッチに出力する論理手段で構成されてなることを特徴とする車両用灯具の点灯制御回路。
【請求項３】
請求項２に記載の車両用灯具の点灯制御回路において、前記各スイッチング信号変換手段は、前記論理手段の出力によるスイッチング信号に応答して、前記各タイマの出力によるスイッチング信号のパルス幅を前記主スイッチのオフ動作期間だけシフトするパルス幅調整手段で構成されてなることを特徴とする車両用灯具の点灯制御回路。
【発明の詳細な説明】
【技術分野】
【０００１】
本発明は、車両用灯具の点灯制御回路に係り、特に、半導体発光素子で構成された半導体光源の点灯を制御するように構成された車両用灯具の点灯制御回路に関する。
【背景技術】
【０００２】
従来、車両用灯具として、ＬＥＤ(Ｌｉｇｈｔ  Ｅｍｉｔｔｉｎｇ  Ｄｉｏｄｅ）などの半導体発光素子を光源に用いたものが知られており、この種の車両用灯具には、ＬＥＤの点灯を制御するための点灯制御回路が実装されている。
【０００３】
点灯制御回路を構成するに際して、スイッチング素子とトランスを備えたスイッチングレギュレータを用いるとともに、整流用ダイオードと平滑用コンデンサを備えた出力ブロックを用い、直流電源からの入力電圧をスイッチング素子のオン動作時に電磁エネルギーとしてトランスに蓄積し、トランスに蓄積された電磁エネルギーをスイッチング素子のオフ動作にトランスの二次側から出力ブロックに放出し、電磁エネルギーを発光エネルギーとして出力ブロックからＬＥＤに供給する構成が採用されている。この場合、ＬＥＤで構成された複数の負荷を対象として、タイムシェアリング方式で各負荷に順番に発光エネルギーを供給するときには、例えば、出力ブロックとして、トランスの二次側に複数の接続部を有する光源選択部を設け、各負荷に各接続部を介して順番に発光エネルギーを供給するようにしたものが提案されている(特許文献１参照)。この点灯制御回路においては、各負荷に順番に発光エネルギーを供給するときには、各負荷に応じてスイッチングレギュレータのスイッチング素子のオンオフ動作を制御するとともに、各接続部のスイッチング素子を順番にオン動作させる制御を行うようになっている。
【０００４】
一方、近年車両用バッテリにはカーナビゲーションシステムやカーオディオ等の多くのアプリケーション（負荷）が繋がれて電力不足となっているため、各アプリケーションにおいて省電力化が必要である。
【０００５】
【特許文献１】特開２００４−1３４１４６号公報(第３頁〜第６頁、図1)
【発明の開示】
【発明が解決しようとする課題】
【０００６】
従来技術においては、スイッチングレギュレータのスイッチング素子や各接続部のスイッチング素子をマイクロコンピュータで制御することについては配慮されておらず、マイクロコンピュータを用いて各スイッチング素子のオンオフ動作を制御することが望まれている。マイクロコンピュータを用いてタイムシェアリング方式で複数のスイッチング素子に対するオンオフ動作を制御するには、各スイッチング素子をオンオフ動作させるためのスイッチング信号(制御信号)をタイマを用いて生成することが考えられる。例えば、スイッチングレギュレータのスイッチング素子をオンオフ動作させるためのスイッチング信号を生成するためのタイマと、スイッチングレギュレータの出力側に配置されてスイッチングレギュレータの電磁エネルギーを各負荷に供給する複数の出力ブロックの補助スイッチング素子に対応してそれぞれタイマを設け、各タイマから各スイッチング素子に対してスイッチング信号(パルス信号)を供給する構成を採用することができる。
【０００７】
しかし、各スイッチング素子に対応づけてタイマを設け、各タイマをマイクロコンピュータに内蔵したのでは、タイマの数が多くなり過ぎ、マイクロコンピュータの構成の簡素化を図ることができない。一方、単にタイマの数を少なくすると、スイッチングレギュレータのスイッチング素子のオフ動作時に各出力ブロックの補助スイッチング素子を順番にオン動作させるためのスイッチング信号を生成することが困難となる。すなわち、タイムシェアリング方式に用いるスイッチング信号を生成することが困難になる。
【０００８】
本発明は、前記従来技術の課題に鑑みて為されたものであり、その目的は、スイッチング素子の数よりも少ないタイマをマイクロコンピュータに内蔵しても、タイムシェアリング方式に用いるスイッチング信号を生成することにある。
【課題を解決するための手段】
【０００９】
前記目的を達成するために、請求項１に係る車両用灯具の点灯制御回路においては、入力電圧を主スイッチのオン動作時に電磁エネルギーとしてトランスに蓄積し、前記トランスに蓄積された電磁エネルギーを前記主スイッチのオフ動作時に前記トランスの二次側から放出するスイッチングレギュレータと、半導体光源で構成された複数の負荷と前記トランスの二次側との間に挿入された複数の補助スイッチのオン動作を条件に、前記トランスの二次側から放出される電磁エネルギーを発光エネルギーとして前記各負荷に伝播する複数のエネルギー伝播手段と、前記主スイッチと前記各補助スイッチをオンオフ動作させるためのスイッチング信号の生成に関する演算処理を実行し、前記演算処理の結果を基に前記主スイッチと前記各補助スイッチのオンオフ動作を制御するマイクロコンピュータと、前記マイクロコンピュータに内蔵されて、前記マイクロコンピュータの演算処理を基に前記主スイッチのオン動作を規定するパルス幅のスイッチング信号を互いに異なるタイミングで且つ互いに一定の間隔を保って順番に出力する複数のタイマと、前記各タイマの出力によるスイッチング信号を順次選択して前記主スイッチに出力する選択手段と、前記各タイマの出力によるスイッチング信号を、前記主スイッチのオフ動作時に前記各補助スイッチを順次オン動作させるスイッチング信号に変換して前記各補助スイッチに出力する複数のスイッチング信号変換手段とを備えてなる構成とした。
【００１０】
(作用)１台のマイクロコンピュータでスイッチングレギュレータの主スイッチ(スイッチング素子)のオンオフ動作を制御するとともに、各エネルギー伝播手段の補助スイッチ(補助スイッチング素子)を順番にオンオフ動作させる制御を行うためのスイッチング信号を生成するに際して、複数のエネルギー伝播手段に対応してマイクロコンピュータに内蔵された複数のタイマから主スイッチのオン動作を規定するパルス幅のスイッチング信号が互いに異なるタイミングで且つ互いに一定の間隔を保って順番に出力されると、各タイマの出力によるスイッチング信号が選択手段によって順番に選択されて主スイッチに出力され、さらに、各タイマの出力によるスイッチング信号は、主スイッチのオフ動作時に各補助スイッチをオン動作させるスイッチング信号に変換されて各補助スイッチに出力されるため、各補助スイッチに対応した数のタイマをマイクロコンピュータに内蔵しても、マイクロコンピュータを用いてタイムシェアリング方式で主スイッチと複数の補助スイッチのオンオフ動作を制御するためのスイッチング信号を生成することができ、構成の簡素化を図ることができる。
請求項２に係る車両用灯具の点灯制御回路においては、請求項１に記載の車両用灯具の点灯制御回路において、前記選択手段は、前記各タイマの出力の論理和によるスイッチング信号を前記主スイッチに出力する論理手段で構成した。
(作用)各タイマの出力の論理和によるスイッチング信号を求めることで、各タイマの出力によるスイッチング信号を主スイッチのスイッチング信号として用いることができる。
請求項３に係る車両用灯具の点灯制御回路においては、請求項２に記載の車両用灯具の点灯制御回路において、前記各スイッチング信号変換手段は、前記論理手段の出力によるスイッチング信号に応答して、前記各タイマの出力によるスイッチング信号のパルス幅を前記主スイッチのオフ動作期間だけシフトするパルス幅調整手段で構成した。
(作用)各タイマの出力の論理和によるスイッチング信号（論理手段の出力によるスイッチング信号）に応答して、各タイマの出力によるスイッチング信号のパルス幅を主スイッチのオフ動作期間だけシフトすることで、各補助スイッチを主スイッチのオフ動作時に順番にオン動作させることができる。
【発明の効果】
【００１１】
以上の説明から明らかなように、請求項1に係る車両用灯具の点灯制御回路によれば、タイムシェアリング方式に用いるスイッチング信号を生成することができるとともに、構成の簡素化を図ることができる。
請求項２によれば、各タイマの出力によるスイッチング信号を主スイッチのスイッチング信号として用いることができる。
請求項３によれば、各補助スイッチを主スイッチのオフ動作時に順番にオン動作させることができる。
【発明を実施するための最良の形態】
【００１２】
次に、本発明の実施の形態を実施例にしたがって説明する。図1は、本発明の一実施例を示す車両用灯具の点灯制御回路の回路構成図、図２は、主スイッチを構成するスイッチング素子とその駆動回路の回路構成図、図３は、補助スイッチを構成するスイッチング素子とその駆動回路の回路構成図、図４は、タイマの動作を説明するためのタイムチャート、図５は、フリップフロップの動作を説明するためのタイムチャート、図６は、マイクロコンピュータにおけるコンペアマッチの処理を説明するための波形図である。
【００１３】
これらの図において、車両用灯具の点灯制御回路１０は、車両用灯具(発光装置)の一要素として、半導体光源を構成する半導体発光素子としてのＬＥＤ１、ＬＥＤ２、ＬＥＤ３、ＬＥＤ４、ＬＥＤ５に対して、単一のスイッチングレギュレータ１２と、複数の出力ブロック１４、１６、１８、２０、２２と、１台のマイクロコンピュータ(以下、マイコンと称する。)２４と、ＯＲ回路２６と、複数のローパスフィルタ２８、３０、３２、３４、３６、複数のフリップフロップ３８、４０、４２、４４、４６を備えて構成されている。
【００１４】
なお、各出力ブロック１４〜２２に用いるＬＥＤとしては、ＬＥＤ１〜ＬＥＤ５の代わりに、２個以上のＬＥＤを互いに直列に接続したもの、あるいは直列接続された複数個のＬＥＤを光源ブロックとし、光源ブロックを複数個並列接続したものを用いることもできる。また、ＬＥＤによる光源は、ヘッドランプ、ストップ＆テールランプ、フォグランプ、ターンシグナルランプなど各種車両用灯具の光源として構成することができる。
【００１５】
スイッチングレギュレータ１２は、主スイッチ(主スイッチング素子)ＳＷ１と、トランスＴ１０とを備えて構成されており、トランスＴ１０の一次巻線Ｌ１の一端側が車載バッテリ(直流電源)４８のプラス端子に接続され、他端側が主スイッチＳＷ１を介して車載バッテリ４８のマイナス端子に接続され、二次巻線Ｌ２１、Ｌ２２、Ｌ２３、Ｌ２４、Ｌ２５の両端側がそれぞれ出力ブロック１４、１６、１８、２０、２２に接続されている。主スイッチＳＷ１は、マイコン２４からのスイッチング信号(パルス信号)に応答してオンオフ動作するようになっている。トランスＴ１０は、主スイッチＳＷ１のオン動作時に、車載バッテリ４８からの入力電圧を電磁エネルギーとして一次巻線Ｌ１に蓄積し、一次巻線Ｌ１に蓄積された電磁エネルギーを主スイッチＳＷ１のオフ動作時に二次側から出力ブロック１４〜２２に放出するようになっている。
【００１６】
主スイッチＳＷ１としては、例えば、図２に示すように、主スイッチング素子としてのＮＭＯＳトランジスタ５０を用いることができ、ＮＭＯＳトランジスタ５０を駆動するための回路素子として、抵抗Ｒ１、Ｒ２、ＮＰＮトランジスタ５２、ＰＮＰトランジスタ５４が設けられている。ＮＭＯＳトランジスタ５０のドレインはトランスＴ１０の一次巻線Ｌ１に接続され、ソースは接地されている。ＮＰＮトランジスタ５２とＰＮＰトランジスタ５４はベースがそれぞれＯＲ回路２６の出力側に接続されてバッファ回路を構成するようになっている。そして、マイコン２４からＯＲ回路２６を介してハイレベルのスイッチング信号が出力されたときに、ＮＰＮトランジスタ５２がオンになるとともに、ＮＭＯＳトランジスタ５０がオンになって、トランスＴ１０の一次巻線Ｌ１に電磁エネルギーを蓄積するようになっている。一方、マイコン２４からＯＲ回路２６を介してローレベルのスイッチング信号が出力されたときには、ＰＮＰトランジスタ５４がオンになってＮＭＯＳトランジスタ５０がオフになり、トランスＴ１０の一次巻線Ｌ１に蓄積された電磁エネルギーをトランスＴ１０の二次側から出力ブロック１４〜２２に放出するようになっている。
【００１７】
出力ブロック１４〜２２は、図１に示すように、ＬＥＤ１〜ＬＥＤ５を負荷として、ＬＥＤ１〜ＬＥＤ５の両端にそれぞれ接続されており、トランスＴ１０の二次側から放出される電磁エネルギーを発光エネルギーとしてＬＥＤ１〜ＬＥＤ５に伝播するエネルギー伝播手段として、トランスＴ１０の二次側から出力される電流を整流する整流素子としてのダイオードＤ１、Ｄ２、Ｄ３、Ｄ４、Ｄ５と、ダイオードＤ１〜Ｄ５の出力電流をそれぞれ平滑するコンデンサＣ１、Ｃ２、Ｃ３、Ｃ４、Ｃ５と、トランスＴ１０の二次側と各ＬＥＤ１〜ＬＥＤ５とを結ぶ回路を開閉するとともに、オン動作を条件に、トランスＴ１０の二次側から放出される電磁エネルギーを発光エネルギーとしてＬＥＤ１〜ＬＥＤ５に伝播するための補助スイッチ(補助スイッチング素子)ＳＷ２１、ＳＷ２２、ＳＷ２３、ＳＷ２４、ＳＷ２５を備えて構成されている。各補助スイッチＳＷ２１〜ＳＷ２５はフリップフロップ３８〜４６から出力されるスイッチング信号に応答して順番にオンオフ動作するようになっている。
【００１８】
補助スイッチＳＷ２１〜ＳＷ２５は、例えば、図３に示すように、補助スイッチング素子としてのＰＭＯＳトランジスタ５６と、ＰＭＯＳトランジスタ５６を駆動するための回路素子として、ツェナーダイオードＺ１、抵抗Ｒ３、Ｒ４、Ｒ５、Ｒ６、ＮＰＮトランジスタ５８、６０、ＰＮＰトランジスタ６２を備えて構成されており、ＰＭＯＳトランジスタ５６のソースがダイオードＤ１〜Ｄ５のカソードに接続され、ドレインがコンデンサＣ１〜Ｃ５に接続され、ＮＰＮトランジスタ６０とＰＮＰトランジスタ６２のベースがそれぞれフリップフロップ３８〜４６の出力端子Ｑに接続されている。ＮＰＮトランジスタ６０とＰＮＰトランジスタ６２は、バッファ回路を構成し、フリップフロップ３８〜４６からハイレベルのスイッチング信号が出力されたときに、ＮＰＮトランジスタ６０がオンになるとともにＮＰＮトランジスタ５８がオンになり、ＮＰＮトランジスタ５８がオンになることに伴って、ＰＭＯＳトランジスタ５６がオンになり、ダイオードＤ１〜Ｄ５によって整流された電流をコンデンサＣ１〜Ｃ５側に伝送し、トランスＴ１０の二次側から放出された電磁エネルギーを各ＬＥＤ１〜ＬＥＤ５に伝播するようになっている。
【００１９】
一方、フリップフロップ３８〜４６からローレベルのスイッチング信号が出力されたときには、ＰＮＰトランジスタ６２がオンになるとともに、ＮＰＮトランジスタ５８がオフとなり、ＮＰＮトランジスタ５８がオフになることに伴ってＰＭＯＳトランジスタ５６がオフとなり、電磁エネルギーの伝播を遮断するようになっている。
【００２０】
マイコン２４は、ＣＰＵ(Ｃｅｎｔｒａｌ  Ｐｒｏｃｅｓｓｉｎｇ  Ｕｎｉｔ：中央処理装置)、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、入出力インターフェイスなどを備えて構成されており、処理プログラムに基づいて主スイッチＳＷ１、補助スイッチＳＷ２１〜ＳＷ２５をオンオフ動作させるためのスイッチング信号の生成に関する演算処理を実行し、この演算処理の結果を基に主スイッチＳＷ１と各補助スイッチＳＷ２１〜ＳＷ２５を制御するようになっている。
【００２１】
さらに、本実施例では、マイコン２４には、各出力ブロック１４〜２２に対応して、５つのタイマ６４、６６、６８、７０、７２が内蔵されている。各タイマ６４〜７２は、マイコン２４の演算処理を基に起動し、主スイッチＳＷ１のオン動作を規定するパルス幅のスイッチング信号を互いに異なるタイミングで互いに一定の間隔を保って順番に出力するようになっている。
【００２２】
例えば、タイマ６４は、図４(ａ)に示すように、タイミングｔ１とタイミングｔ６において、パルス幅αで周期Ｔのスイッチング信号を出力端子７４からローパスフィルタ２８とＯＲ回路２６に出力し、タイマ６６は、図４(ｂ)に示すように、タイミングｔ２とタイミングｔ７において、パルス幅αで周期Ｔのスイッチング信号を出力端子７６からローパスフィルタ３０とＯＲ回路２６に出力し、タイマ６８は、図４(ｃ)に示すように、タイミングｔ３とタイミングｔ８において、パルス幅αで周期Ｔのスイッチング信号を出力端子７８からローパスフィルタ３２とＯＲ回路２６に出力し、タイマ７０は、図４(ｄ)に示すように、タイミングｔ４とタイミングｔ９において、パルス幅αで周期Ｔのスイッチング信号を出力端子８０からローパスフィルタ３４とＯＲ回路２６に出力し、タイマ７２は、図４(ｅ)に示すように、タイミングｔ５とタイミングｔ１０において、パルス幅αで周期Ｔのスイッチング信号を出力端子８２からローパスフィルタ３６とＯＲ回路２６に出力するようになっている。
【００２３】
ＯＲ回路２６は、タイマ６４〜７２の出力によるスイッチング信号を順次選択して主スイッチＳＷ１に出力する選択手段あるいはタイマ６４〜７２の出力の論理和によるスイッチング信号を主スイッチＳＷ１に出力する論理手段として、ＯＲゲート８４、８６、８８、９０を備えて構成されている。ＯＲゲート８４の各入力側はタイマ６４、６６の出力端子７４、７６に接続され、出力側がＯＲゲート９０の一方の入力側に接続され、ＯＲゲート８６の各入力側はタイマ６８、７０の出力端子７８、８０に接続され、出力側がＯＲゲート８８の一方の入力側に接続されている。ＯＲゲート８８の他方の入力側はタイマ７２の出力端子８２に接続され、出力側はＯＲゲート９０の他方の入力側に接続され、ＯＲゲート９０の出力側は主スイッチＳＷ１、すなわちＮＰＮトランジスタ５２とＰＮＰトランジスタ５４のベースに接続されているとともに、フリップフロップ３８〜４６の各クロック端子ＣＫに接続されている。
【００２４】
ＯＲゲート８４は、図４(ｆ)に示すように、タイミングｔ１、ｔ２、ｔ６、ｔ７にそれぞれスイッチング信号を入力し、入力されたスイッチング信号を順次ＯＲゲート９０に出力するようになっている。ＯＲゲート８６は、タイミングｔ３、ｔ４、ｔ８、ｔ９にスイッチング信号を入力し、入力されたスイッチング信号を順次ＯＲゲート８８に出力するようになっている。ＯＲゲート８８は、タイミングｔ３、ｔ４、ｔ８、ｔ９とともに、タイミングｔ５、ｔ１０にスイッチング信号を入力し、入力されたスイッチング信号を順次ＯＲゲート９０に出力するようになっている。ＯＲゲート９０は、ＯＲゲート８４、８８から出力されるスイッチング信号に応答して順次スイッチング信号を出力するようになっている。すなわち、ＯＲゲート９０からは、タイミングｔ１、ｔ２、ｔ３、ｔ４、ｔ５、ｔ６、ｔ７、ｔ８、ｔ９、ｔ１０ごとにスイッチング信号が出力されるようになっている。このため、主スイッチＳＷ１はＯＲゲート９０から出力されるスイッチング信号に応答して順次オンオフ動作をすることになる。
【００２５】
また、各タイマ６４〜７２の出力によるスイッチング信号は、各出力端子７４〜８２からローパスフィルタ２８〜３６を介してフリップフロップ３８〜４６の入力端子Ｄに出力されるようになっている。ローパスフィルタ２８〜３６はそれぞれ抵抗Ｒ１１、Ｒ２１、Ｒ３１、Ｒ４１、Ｒ５１、コンデンサＣ１１、Ｃ２１、Ｃ３１、Ｃ４１、Ｃ５１を備えて構成されており、各出力端子７４〜８２から出力されるスイッチング信号を一定時間遅延させてフリップフロップ３８〜４６に出力するようになっている。すなわち、各タイマ６４〜７２から出力されるスイッチング信号のうちＯＲ回路２６を介してフリップフロップ３８〜４６のクロック端子ＣＫに入力されるスイッチング信号のタイミング(立ち上がりエッジ)とフリップフロップ３８〜４６の入力端子Ｄに入力されるスイッチング信号のタイミング(立ち上がりエッジ)を同じにするために、スイッチング信号がＯＲ回路２６を伝送する時間を考慮して、入力端子Ｄに入力されるパルス信号を遅延させるようになっている。
【００２６】
フリップフロップ３８〜４６の入力端子Ｄとクロック端子ＣＫには、図５(a)〜(e)に示すように、タイミングｔ１、ｔ２、ｔ３、ｔ４、ｔ５、ｔ６、ｔ７、ｔ８、ｔ９、ｔ１０ごとに順次スイッチング信号（パルス信号）が入力されるようになっており、各フリップフロップ３８〜４６は、クロック端子ＣＫに入力されたスイッチング信号の立ち上がりエッジに応答して、入力端子Ｄに入力されたスイッチング信号の値(ハイレベルの値)を保持し、この値を次のスイッチング信号の立ち上がりエッジが発生するまで保持するようになっている。例えば、フリップフロップ３８は、図５（ａ）に示すように、タイミングｔ１でＯＲゲート９０から出力されるスイッチング信号の立ち上がりエッジに応答して入力端子Ｄの値(ハイレベルの値)を保持し、この値を、次のスイッチング信号の立ち上がりエッジが発生するタイミングｔ２まで保持し、さらに、タイミングｔ６〜ｔ７の間ハイレベルを保持するようになっている。同様にして、フリップフロップ４０は、図５（ｂ）に示すように、タイミングｔ２〜タイミングｔ３の間とタイミングｔ７〜ｔ８の間ハイレベルを保持し、フリップフロップ４２は、図５（ｃ）に示すように、タイミングｔ３〜タイミングｔ４の間とタイミングｔ８〜ｔ９の間ハイレベルを保持し、フリップフロップ４４は、図５（ｄ）に示すように、タイミングｔ４〜タイミングｔ５の間とタイミングｔ９〜タイミングｔ１０の間ハイレベルを保持し、フリップフロップ４６は、図５（ｅ）に示すように、タイミングｔ５〜タイミングｔ６の間とタイミングｔ１０〜タイミングｔ１１の間ハイレベルを保持するようになっている。
【００２７】
フリップフロップ３８〜４６は、タイマ６４〜７２の出力によるスイッチング信号を、主スイッチＳＷ１のオフ動作時に、各補助スイッチＳＷ２１〜ＳＷ２５を順次オン動作させるスイッチング信号に変換して各補助スイッチＳＷ２１〜ＳＷ２５に出力するスイッチング信号変換手段として機能するようになっている。
【００２８】
すなわち、フリップフロップ３８〜４６は、ＯＲ回路２６の出力によるスイッチング信号の立ち上がりエッジに応答して、タイマ６４〜７２の出力によるスイッチング信号のパルス幅を主スイッチＳＷ１のオフ動作期間だけシフト（伸張）するパルス幅調整手段として構成されている。
【００２９】
フリップフロップ３８〜４６の出力端子Ｑから補助スイッチＳＷ２１〜ＳＷ２５に、図５に示すタイミングでスイッチング信号が出力されると、各補助スイッチＳＷ２１〜ＳＷ２５は、主スイッチＳＷ１が、図４のタイミングｔ１〜ｔ１０ごとに順次オン動作を開始するときに、順番にオン動作を開始し、主スイッチＳＷ１がオン動作からオフ動作に移行したあともオン動作を継続し、主スイッチＳＷ１がオフ動作からオン動作に移行するときに順番にオフ動作を行うようになっている。すなわち、各補助スイッチＳＷ２１〜ＳＷ２５は、主スイッチＳＷ１の少なくともオフ動作期間において、単一の補助スイッチのみがオン動作を行い、トランスＴ１０の一次側に蓄積された電磁エネルギーを順番にＬＥＤ１〜ＬＥＤ５に放出することができ、タイムシェアリング方式にしたがって主スイッチＳＷ１と補助スイッチＳＷ２１〜ＳＷ２５のオンオフ動作を制御することができる。
【００３０】
マイコン２４において、各タイマ６４〜７２のパルス幅αを調整するに際しては、例えば、図６に示すように、各タイマ６４〜７２用のタイマカウンタとして、カウント値が設定値αになったときに、スイッチング信号のレベルを“１”から“０”にセットするタイマカウンタ(図示せず)を設けるとともに、カウント値が設定値βになったときに、スイッチング信号のレベルを“０”から“１”にセットするタイマカウンタ(図示せず)を設け、タイミングｔ１で処理を開始してクロックを計数し、この計数値がタイミングｔ２において設定値αに達しコンペアマッチとなったときに、一方のタイマカウントをリセットするとともに、スイッチング信号のレベルを“１”から“０”に設定し、さらにクロックの計数を継続し、カウント値がタイミングｔ３において設定値βになったときには、他方のタイマカウントをリセットするとともにパルス信号のレベルを“０”から“１”にセットし、タイミングｔ３から再びクロックの計数を開始する。そして、タイミングｔ１からタイミングｔ２の時間をオンデューティに設定し、このオンデューティを小さくするときには、一方のタイマカウンタの設定値αを小さくすることで、オンデューティを小さくすることができる。逆に、オンデューティを大きくするときには、設定値αの値を大きくすることで、オンデューティを大きくすることができる。
【００３１】
本実施例においては、単一の主スイッチＳＷ１と５個の補助スイッチＳＷ２１〜ＳＷ２５に対して５個のタイマ６４〜７２をマイコン２４に内蔵するだけで、タイムシェリング方式で主スイッチＳＷ１と複数の補助スイッチＳＷ２１〜ＳＷ２５をオンオフ制御するためのスイッチング信号を生成することができるため、マイコン２４の構成の簡素化を図ることができる。
【００３２】
また、本実施例においては、タイムシェアリング方式を採用しているので、車載バッテリに多くの負荷が繋がれていても、タイムシェアリング方式により電力の効率化ができると共に、構成の簡素化を図ることができる。
【図面の簡単な説明】
【００３３】
【図１】本発明の一実施例を示す車両用灯具の点灯制御回路の回路構成図である。
【図２】主スイッチを構成するスイッチング素子とその駆動回路の回路構成図である。
【図３】補助スイッチを構成するスイッチング素子とその駆動回路の回路構成図である。
【図４】タイマの動作を説明するためのタイムチャートである。
【図５】フリップフロップの動作を説明するためのタイムチャートである。
【図６】マイクロコンピュータにおけるコンペアマッチの処理を説明するための波形図である。
【符号の説明】
【００３４】
１０  車両用灯具の点灯制御回路
１２  スイッチングレギュレータ
１４、１６、１８、２０、２２  出力ブロック
２４  マイコン
２６  ＯＲ回路
２８、３０、３２、３４、３６  ローパスフィルタ
３８、４０、４２、４４、４６  フリップフロップ
６４、６６、６８、７０、７２  タイマ
８４、８６、８８、９０  ＯＲゲート
【図１】
2006172803.tif 000003
【図２】
2006172803.tif 000004
【図３】
2006172803.tif 000005
【図４】
2006172803.tif 000006
【図５】
2006172803.tif 000007
【図６】
2006172803.tif 000008